(57)【要約】【課題】個々人の顔面骨格や体型のため、マスク上方部分の鼻近傍やマスク側方部分の頬部には隙間ができやすく、マスク機能低下が見られる。眼鏡をかけると、マスク上方部分の隙間を通じて上昇した呼気中水蒸気により眼鏡が曇りやすい。そして、普及タイプのマスクは意匠性に乏しい。【解決手段】鼻用貼付材を鼻根部と頬上部に貼付することで、マスク上方部分と鼻近傍の隙間を減少させてマスクのフィルター機能を高め、なおかつ呼気中水蒸気を遮蔽して眼鏡の曇り止めとなる。頬用貼付材を頬に貼付することで、マスク側方部分と頬の隙間を減少させてマスクのフィルター機能を高める。貼付材の形状や素材、デザインを工夫して意匠性を高め、使用時の選択性を拡げることで、家庭環境や職場環境、教育環境、アウトドア、医療目的など、様々な使用状況に合わせたデザインを選択できるようになる。【選択図】図１
2020128613.tif 000002
【特許請求の範囲】
【請求項１】
粘着剤を付着させた湾曲変形可能なシート状素材で作成され、顔に貼付することで、マスク上方部分の鼻近傍に形成される隙間、あるいはマスク側方部分の頬とで形成される隙間を減少させて、マスクのフィルター機能を高め、なおかつ呼気中水蒸気を遮蔽することで眼鏡を曇りにくくさせる貼付材。
【請求項２】
前記の貼付材裏面には部位別に分離・独立して粘着剤を付着させ、なおかつ各々の粘着剤表面は不要時にはくっつかないように表面を剥離紙でシールすることで、好みや使用目的に合わせて、マスク上方部に近接した鼻根部や頬上部皮膚、あるいはマスク側方部に近接した頬部皮膚のみに貼付したり、顔面とマスクを一体的に貼付したりできることを特徴とする請求項１記載の貼付材。
【請求項３】
前記の貼付材を顔およびマスクに貼付することで、マスク装着時の意匠性を高める機能を有した請求項１記載の貼付材。
【発明の詳細な説明】
【技術分野】
【０００１】
顔に貼付することで、マスクの機能を高め、なおかつ意匠性も高める技術分野に属する。
【背景技術】
【０００２】
気道から粉塵や細菌が侵入することを防ぐ目的でマスクを装着するが、個々人の顔面骨格や体型のため、マスク上方部分の鼻近傍やマスク側方部分の頬部には隙間ができやすく、マスク機能そのものが低下してしまう。
【０００３】
また、眼鏡をかけた際には、マスク上方部分と鼻近傍の隙間から呼気中の水蒸気が上昇し、眼鏡が曇りやすくなってしまう。
【０００４】
さらに、広く普及している市販マスクは、低コストでシンプルなデザインであり、家庭用や医療用など多くの用途に使用できるべく汎用性が高い反面、意匠性に乏しい。
【０００５】
マスク構造上の欠点を補助する目的で、下記特許文献１には眼鏡に装着してマスク上部の隙間を減少させる先行技術がある。しかし、この技術は眼鏡を使用する必要がある。
【０００６】
また、下記特許文献２および３にはマスクに装着して上記目的を改善させる先行技術がある。しかし、本技術ではマスクを着ける度にマスクへ装着して調整する必要があり、煩わしく手間がかかる。
【０００７】
そして、マスクに意匠性を付加する目的の先行技術として、下記特許文献４が考案されているが、あくまでマスクのみに貼付して意匠性を高める作用であり、マスク本来の機能改善効果はない。
【先行技術文献】
【特許文献】
【０００８】
【特許文献１】特開２０１１−１１５２３３
【特許文献２】特開２００９−６６３８２
【特許文献３】特開２０１２−２２８４９０
【特許文献４】特開２０１０−１８４０９５
【発明の概要】
【発明が解決しようとする課題】
【０００９】
簡便に、マスク構造上の欠点や意匠性に関する問題点を改善することを課題とする。
【課題を解決するための手段】
【００１０】
鼻根部、両側頬上部、マスク上方部分に鼻用シート１０を貼付することで、簡便にマスク上方部分と鼻近傍の隙間を減少させ、マスクのフィルター機能を高める。同時に、隙間を通して上昇してくる呼気中水蒸気を遮蔽して、眼鏡の曇り止めを果たす。
【００１１】
マスク側方部分や、マスクに近接する頬に頬用シート２０を貼付することで、簡便にマスク側方部分と頬の隙間を減少させ、マスクのフィルター機能を高める。
【００１２】
顔に貼付する鼻用シート１０や頬用シート２０は、形状や大きさ、素材、色、柄などのデザインを工夫してバリエーションを増やし、マスク装着時の意匠性を高めることで使用時の選択性を拡げる。例えば家庭環境や職場環境、医療目的など、様々な使用状況に合わせたデザインを選択できるようにする。
【発明の効果】
【００１３】
人間の顔面において、鼻は前方に突出しており、鼻根・鼻尖・鼻梁・鼻翼といった部位の高さや大きさ、形状には個人差がある。普及タイプの画一的な仕様のマスクでは個人差に対応できず、マスクを装着した時に鼻と頬との境界部分に隙間ができやすく、マスクのフィルター効果が低下する原因となっている。
【００１４】
この鼻と頬によるマスク上方部分の隙間を通じて、呼気中水蒸気が上方に漏れ出ることで、眼鏡を装着した際に眼鏡が曇ってしまう原因にもなっている。
【００１５】
同様に、マスク側方部分と頬の隙間についても、個人間の顔面骨格や体型による形状の差が大きく、マスクの装着方法によっては隙間が生じやすく、マスクのフィルター効果を減弱している。
【００１６】
そして、一般的なマスクは、白色や淡いブルー色や淡いピンク色の無地の不織布で作成されていることが多い。現在、マスクは病気の際の家庭内での使用や医療機関内での使用のみでなく、通勤通学や作業現場、オフィス、学校内での使用など様々な状況で使われる機会が増えているが、装飾性や意匠性が乏しくマスク装着に際してデザインの選択性が乏しい。
【００１７】
上記課題に対して本願発明は、鼻用シート１０や頬用シート２０を顔やマスクに貼り付けるだけで、簡便にマスクのフィルター機能を補助できて、眼鏡の曇り止め効果を持ち、なおかつマスク装着時の意匠性を高めるという課題を解決できる。
【図面の簡単な説明】
【００１８】
【図１】鼻用シート１０（上段が表面、下段が裏面）
【図２】頬用シート２０（右側が表面、左側が裏面）
【図３】一般的なマスクを装着した様子
【図４】マスク装着後に鼻用シート１０を貼付した様子
【図５】マスク装着後に頬用シート２０を貼付した様子
【図６】鼻用シート１０と頬用シート２０を貼付した後に眼鏡をかけた様子
【図７】デザインバリエーションの例示
【発明を実施するための形態】
【００１９】
マスク（１７）を装着した後に、鼻根部分と両側頬上部に相当する皮膚に、鼻根部粘着剤（４）と頬上部粘着剤（６）を用いて鼻用シート１０を貼付する。鼻用シート１０の下方部分でマスクと重なる部位において、鼻用シート１０がマスク上方部分を押さえつけることとなり、鼻近傍の隙間を減少させる。また、より強力な隙間改善効果を期待して、鼻用シート１０の下方部粘着剤（９）で顔と一体的にマスク上方部分に貼付することで、呼気圧力による鼻近傍の隙間拡大作用に抵抗させて、マスクのフィルター効果を高める。
【００２０】
鼻用シート１０を貼付することで、鼻近傍の隙間から上昇する呼気中の水蒸気を遮蔽する効果を持ち、眼鏡（１８）を装着した際の眼鏡の曇り防止を果たす。
【００２１】
マスク側方部分に近接した頬に、頬用シート２０の後方部粘着剤（１５）で頬用シート２０を貼付する。頬用シート２０の前方部（１１）でマスク側方部分を押さえつけることとなり、マスク側方部分と頬との隙間を減少させる。また、より強力な隙間改善効果を期待して、頬用シート２０の前方部粘着剤（１３）で顔と一体的にマスク側方部分に貼付することで、呼気圧力による頬部の隙間拡大作用に抵抗させて、マスクのフィルター効果を高める。
【００２２】
鼻用シート１０および頬用シート２０は、それらの形状や大きさ、素材、色、柄などのデザインを変更でき、意匠性を高めてバリエーションを豊かにすることで、使用時の選択性を拡げる。
【実施例】
【００２３】
実施例１（図４）：鼻用シート１０裏面のそれぞれの粘着剤表面（４、６、９）は、不要時にはくっつかないように表面を剥離紙でシールしてある（５、７、８、１０）。マスク（１７）装着の後、鼻用シート１０の鼻根部粘着剤剥離紙シール（５）をはがし、鼻根部粘着剤（４）で鼻根部皮膚に鼻用シート１０を貼り付ける。その後、鼻用シート１０の頬上部粘着剤右・左剥離紙シール（７、８）をはがし、頬上部粘着剤（６）でマスク上方部分に近接した頬上部皮膚に鼻用シート１０を貼り付ける。こうすることで、鼻根部の形状に合わせ鼻用シート１０は鼻根部（１）の中心部分で上に凸の湾曲形状となる。
この時点で、鼻用シート１０のマスクに重なる部位においては、下方部粘着剤剥離紙シール（１０）をはがさずとも、マスク上方部分が上からの圧力で押さえられる状態となり、鼻近傍の隙間が減少しマスクのフィルター効果を高める。
貼付部位が少ない方が使用時の不快感は限定される。しかし、使用状況に応じより強力な隙間改善効果を期待する場合、鼻用シート１０の下方部粘着剤剥離紙シール（１０）をはがし、下方部粘着剤（９）で顔とマスク上方部分を一体的に貼付すれば、呼気圧力で鼻近傍のマスクとの隙間がより拡がることを防ぎ、マスクのフィルター効果を一層高める。
【００２４】
この状態で眼鏡（１８）を装着することもでき、呼気中の水蒸気が上昇して鼻近傍の隙間から侵入することが遮蔽され、眼鏡の曇りを防止できる（図６）。
【００２５】
実施例２（図５）：鼻用シート１０に加えて、頬用シート２０を装着する。頬用シート２０裏面のそれぞれの粘着剤表面（１３、１５）は、不要時にはくっつかないように表面を剥離紙でシールしてある（１４、１６）。頬用シート２０の後方部粘着剤剥離紙シール（１６）をはがし、マスク側方部分に近接した頬部分に、後方部粘着剤（１５）で頬用シート２０を貼付する。
この時点で、頬用シート２０前方部（１１）でマスクに重なる部位においては、前方部粘着剤剥離紙シール（１４）をはがさずともマスク側方部分が押さえつけられ、頬部の隙間が減少しマスクのフィルター効果を高める。
貼付部位が少ない方が使用時の不快感は限定される。しかし、使用状況に応じより強力な隙間改善効果を期待する場合、頬用シート２０の前方部粘着剤剥離紙シール（１４）をはがし、前方部粘着剤（１３）で顔とマスク側方部分を一体的に貼付すれば、呼気圧力で頬部とマスクとの隙間がより拡がることを防ぎ、マスクのフィルター効果を一層高める。
【００２６】
実施例３（図７）：鼻用シート１０および頬用シート２０は、形状やサイズ、素材、色、柄などのデザインにバリエーションを持たせることができ、使用する方のニーズや使用場所に合わせて選択することができる。また、小さなサイズの鼻用シート１０の使用では、鼻根部粘着剤（４）のみを使用して鼻根部のみに貼り付けることで、最小限の皮膚への粘着剤使用でもマスク上部の鼻近傍の隙間減少効果が期待できるため、使用者の装着時不快感が減少する。
【産業上の利用可能性】
【００２７】
本願発明は、すでに低コストで広く普及しているマスクに対して、マスク自体の構造や仕様を変更することなく、簡便にマスクの欠点を補うことができる。特殊な材料を使用せずとも作成できる可能性が高いため低コストであり、様々なデザインとすることでマスク利用を高め、マスクの新たな使用状況の発掘にもつながるものといえ、産業上の利用可能性が高いことが期待される。
【符号の説明】
【００２８】
１  鼻用シート１０鼻根部
２  鼻用シート１０右頬部
３  鼻用シート１０左頬部
４  鼻根部粘着剤
５  鼻根部粘着剤剥離紙シール
６  頬上部粘着剤
７  頬上部粘着剤右剥離紙シール
８  頬上部粘着剤左剥離紙シール
９  下方部粘着剤
１０  下方部粘着剤剥離紙シール
１１  頬用シート２０前方部
１２  頬用シート２０後方部
１３  前方部粘着剤
１４  前方部粘着剤剥離紙シール
１５  後方部粘着剤
１６  後方部粘着剤剥離紙シール
１７  マスク
１８  眼鏡
【図１】
2020128613.tif 000003
【図２】
2020128613.tif 000004
【図３】
2020128613.tif 000005
【図４】
2020128613.tif 000006
【図５】
2020128613.tif 000007
【図６】
2020128613.tif 000008
【図７】
2020128613.tif 000009
【手続補正書】
【提出日】令和1年8月13日(2019.8.13)
【手続補正１】
【補正対象書類名】特許請求の範囲
【補正対象項目名】全文
【補正方法】変更
【補正の内容】
【特許請求の範囲】
【請求項１】
粘着剤を付着させた湾曲変形可能なシート状素材で作成され、
顔に装着したマスクの端縁側と、露出した皮膚に亘るように上から貼付することで、
前記マスク上方部分の鼻近傍に形成される隙間を減少させて、前記マスクのフィルター効果を高め、なおかつ呼気中水蒸気を遮蔽することで眼鏡を曇りにくくさせるマスク用貼付材であって、
前記シート状素材の背面に粘着剤付着部を備え、
前記粘着剤付着部は鼻根部や左右頬上部の前記皮膚に重なる部分と、その下方で前記マスクの上端側に重なる部分に区画されて、
前記区画ごとに剥離紙で覆われており、
前記皮膚には貼付して、前記マスクには貼付しない使用法も選択できることを特徴とする鼻用のマスク用貼付材。
【請求項２】
粘着剤を付着させた湾曲変形可能なシート状素材で作成され、
顔に装着したマスクの端縁側と、露出した皮膚に亘るように上から貼付することで、
前記マスク側方部分の頬とで形成される隙間を減少させて、前記マスクのフィルター効果を高める貼付材であって、
前記シート状素材の背面に粘着剤付着部を備え、
前記粘着剤付着部は頬の前記皮膚に重なる部分と、その側方で前記マスクの側端側に重なる部分に区画されて、
前記区画ごとに剥離紙で覆われており、
前記皮膚には貼付して、前記マスクには貼付しない使用法も選択できることを特徴とする頬用のマスク用貼付材。

【請求項３】
前記マスクの上端側に重なる部分の剥離紙や、前記マスクの側端側に重なる部分の剥離紙を剥がさず、
前記鼻根部や左右頬上部の前記皮膚に重なる部分の剥離紙や、前記頬の前記皮膚に重なる部分の剥離紙を剥がして使用することで、
前記皮膚には貼付して前記マスクには貼付せず、
前記マスク用貼付材を前記皮膚に貼付したままで、
前記マスクに操作を加えることができることを特徴とする請求項１あるいは請求項２記載のマスク用貼付材。
【手続補正２】
【補正対象書類名】明細書
【補正対象項目名】全文
【補正方法】変更
【補正の内容】
【発明の詳細な説明】
【技術分野】
【０００１】
顔に貼付することで、マスクの機能を高め、なおかつ意匠性も高める技術分野に属する。
【背景技術】
【０００２】
気道から粉塵や細菌が侵入することを防ぐ目的でマスクを装着するが、個々人の顔面骨格や体型のため、マスク上方部分の鼻近傍やマスク側方部分の頬部には隙間ができやすく、マスク機能そのものが低下してしまう。
【０００３】
また、眼鏡をかけた際には、マスク上方部分と鼻近傍の隙間から呼気中の水蒸気が上昇し、眼鏡が曇りやすくなってしまう。
【０００４】
さらに、広く普及している市販マスクは、低コストでシンプルなデザインであり、家庭用や医療用など多くの用途に使用できるべく汎用性が高い反面、意匠性に乏しい。
【０００５】
マスク構造上の欠点を補助する目的で、下記特許文献１には眼鏡に装着してマスク上部の隙間を減少させる先行技術がある。しかし、この技術は眼鏡を使用する必要がある。
【０００６】
また、下記特許文献２および３にはマスクに装着して上記目的を改善させる先行技術がある。しかし、本技術ではマスクを着ける度にマスクへ装着して調整する必要があり、煩わしく手間がかかる。
【０００７】
そして、マスクに意匠性を付加する目的の先行技術として、下記特許文献４が考案されているが、あくまでマスクのみに貼付して意匠性を高める作用であり、マスク本来の機能改善効果はない。
【先行技術文献】
【特許文献】
【０００８】
【特許文献１】特開２０１１−１１５２３３号公報
【特許文献２】特開２００９−６６３８２号公報
【特許文献３】特開２０１２−２２８４９０号公報
【特許文献４】特開２０１０−１８４０９５号公報
【発明の概要】
【発明が解決しようとする課題】
【０００９】
簡便に、マスク構造上の欠点や意匠性に関する問題点を改善することを課題とする。
【課題を解決するための手段】
【００１０】
鼻根部、両側頬上部、マスク上方部分に鼻用貼付材を貼付することで、簡便にマスク上方部分と鼻近傍の隙間を減少させ、マスクのフィルター機能を高める。同時に、隙間を通して上昇してくる呼気中水蒸気を遮蔽して、眼鏡の曇り止めを果たす。
【００１１】
マスク側方部分や、マスクに近接する頬に頬用貼付材を貼付することで、簡便にマスク側方部分と頬の隙間を減少させ、マスクのフィルター機能を高める。
【００１２】
顔に貼付する鼻用貼付材や頬用貼付材は、形状や大きさ、素材、色、柄などのデザインを工夫してバリエーションを増やし、マスク装着時の意匠性を高めることで使用時の選択性を拡げる。例えば家庭環境や職場環境、医療目的など、様々な使用状況に合わせたデザインを選択できるようにする。
【発明の効果】
【００１３】
人間の顔面において、鼻は前方に突出しており、鼻根・鼻尖・鼻梁・鼻翼といった部位の高さや大きさ、形状には個人差がある。普及タイプの画一的な仕様のマスクでは個人差に対応できず、マスクを装着した時に鼻と頬との境界部分に隙間ができやすく、マスクのフィルター効果が低下する原因となっている。
【００１４】
この鼻と頬によるマスク上方部分の隙間を通じて、呼気中水蒸気が上方に漏れ出ることで、眼鏡を装着した際に眼鏡が曇ってしまう原因にもなっている。
【００１５】
同様に、マスク側方部分と頬の隙間についても、個人間の顔面骨格や体型による形状の差が大きく、マスクの装着方法によっては隙間が生じやすく、マスクのフィルター効果を減弱している。
【００１６】
そして、一般的なマスクは、白色や淡いブルー色や淡いピンク色の無地の不織布で作成されていることが多い。現在、マスクは病気の際の家庭内での使用や医療機関内での使用のみでなく、通勤通学や作業現場、オフィス、学校内での使用など様々な状況で使われる機会が増えているが、装飾性や意匠性が乏しくマスク装着に際してデザインの選択性が乏しい。
【００１７】
上記課題に対して本願発明は、鼻用貼付材や頬用貼付材を顔やマスクに貼り付けるだけで、簡便にマスクのフィルター機能を補助できて、眼鏡の曇り止め効果を持ち、なおかつマスク装着時の意匠性を高めるという課題を解決できる。
【図面の簡単な説明】
【００１８】
【図１】鼻用貼付材（上段が正面図、下段が背面図）
【図２】頬用貼付材（右側が正面図、左側が背面図）
【図３】一般的なマスクを装着した斜視図
【図４】マスク装着後に鼻用貼付材を貼付した斜視図
【図５】マスク装着後に鼻用貼付材と頬用貼付材を貼付した斜視図
【図６】鼻用貼付材と頬用貼付材を貼付した後に眼鏡をかけた斜視図
【図７】デザインバリエーションの例示を示す正面図
【発明を実施するための形態】
【００１９】
図３におけるマスク１７を装着した後に、鼻根部分と両側頬上部に相当する皮膚に、図１における鼻根部粘着剤付着部４と頬上部粘着剤付着部６を用いて鼻用貼付材を貼付する。鼻用貼付材の下方部分でマスク１７と重なる部位において、鼻用貼付材がマスク１７上方部分を押さえつけることとなり、鼻近傍の隙間を減少させる。また、より強力な隙間改善効果を期待して、鼻用貼付材の下方部粘着剤付着部９で顔と一体的にマスク上方部分に貼付することで、呼気圧力による鼻近傍の隙間拡大作用に抵抗させて、マスクのフィルター効果を高める。
【００２０】
鼻用貼付材を貼付することで、鼻近傍の隙間から上昇する呼気中の水蒸気を遮蔽する効果を持ち、図６における眼鏡１８を装着した際の眼鏡の曇り防止を果たす。
【００２１】
マスク側方部分に近接した頬に、図２における頬用貼付材の後方部粘着剤付着部１５で頬用貼付材を貼付する。頬用貼付材の前方部１１でマスク側方部分を押さえつけることとなり、マスク側方部分と頬との隙間を減少させる。また、より強力な隙間改善効果を期待して、頬用貼付材の前方部粘着剤付着部１３で顔と一体的にマスク側方部分に貼付することで、呼気圧力による頬部の隙間拡大作用に抵抗させて、マスクのフィルター効果を高める。
【００２２】
鼻用貼付材および頬用貼付材は、図７のごとくそれらの形状や大きさ、素材、色、柄などのデザインを変更でき、意匠性を高めてバリエーションを豊かにすることで、使用時の選択性を拡げる。
【実施例】
【００２３】
実施例１：図１において、鼻用貼付材背面のそれぞれの粘着剤付着部４、６、９は、不要時にはくっつかないように表面を剥離紙５、７、８、１０でシールしてある。図３におけるマスク１７装着の後、図１に示す鼻用貼付材の「はな  はがす」と示された鼻根部粘着剤剥離紙５をはがし、鼻根部粘着剤付着部４で鼻根部皮膚に鼻用貼付材を貼り付ける。その後、鼻用貼付材の「ほほ  はがす」と示された頬上部粘着剤右・左剥離紙７、８をはがし、頬上部粘着剤付着部６でマスク上方部分に近接した頬上部皮膚に鼻用貼付材を貼り付ける。こうすることで、鼻根部の形状に合わせ鼻用貼付材は鼻根部１の中心部分で上に凸の湾曲形状となる。
この時点で、図４に示すように鼻用貼付材のマスクに重なる部位においては、図１の「下方部  はがさず使用も可能」と示された下方部粘着剤剥離紙１０をはがさずとも、マスク上方部分が上からの圧力で押さえられる状態となり、鼻近傍の隙間が減少しマスクのフィルター効果を高める。
貼付部位が少ない方が使用時の不快感は限定される。しかし、使用状況に応じより強力な隙間改善効果を期待する場合、図１における鼻用貼付材の下方部粘着剤剥離紙１０をはがし、下方部粘着剤付着部９で顔とマスク上方部分を一体的に貼付すれば、呼気圧力で鼻近傍のマスクとの隙間がより拡がることを防ぎ、マスクのフィルター効果を一層高める。
【００２４】
この状態で図６のごとく眼鏡１８を装着することもでき、呼気中の水蒸気が上昇して鼻近傍の隙間から侵入することが遮蔽され、眼鏡の曇りを防止できる。
【００２５】
実施例２：鼻用貼付材に加えて、頬用貼付材を装着する。図２において、頬用貼付材背面のそれぞれの粘着剤付着部１３、１５は、不要時にはくっつかないように表面を剥離紙１４、１６でシールしてある。頬用貼付材の「ほほ  はがす」と示された後方部粘着剤剥離紙１６をはがし、マスク側方部分に近接した頬部分に、後方部粘着剤付着部１５で頬用貼付材を貼付する。
この時点で、頬用貼付材前方部１１でマスクに重なる部位においては、「前方部  はがさず使用も可能」と示された前方部粘着剤剥離紙１４をはがさずともマスク側方部分が押さえつけられ、頬部の隙間が減少しマスクのフィルター効果を高める（図５）。
貼付部位が少ない方が使用時の不快感は限定される。しかし、使用状況に応じより強力な隙間改善効果を期待する場合、頬用貼付材の前方部粘着剤剥離紙１４をはがし、前方部粘着剤付着部１３で顔とマスク側方部分を一体的に貼付すれば、呼気圧力で頬部とマスクとの隙間がより拡がることを防ぎ、マスクのフィルター効果を一層高める。
【００２６】
実施例３（図７）：鼻用貼付材および頬用貼付材は、形状やサイズ、素材、色、柄などのデザインにバリエーションを持たせることができ、使用する方のニーズや使用場所に合わせて選択することができる。また、小さなサイズの鼻用貼付材の使用では、鼻根部粘着剤付着部４のみを使用して鼻根部のみに貼り付けることで、最小限の皮膚への粘着剤使用でもマスク上部の鼻近傍の隙間減少効果が期待できるため、使用者の装着時不快感が減少する。
【産業上の利用可能性】
【００２７】
本願発明は、すでに低コストで広く普及しているマスクに対して、マスク自体の構造や仕様を変更することなく、簡便にマスクの欠点を補うことができる。特殊な材料を使用せずとも作成できる可能性が高いため低コストであり、様々なデザインとすることでマスク利用を高め、マスクの新たな使用状況の発掘にもつながるものといえ、産業上の利用可能性が高いことが期待される。
【符号の説明】
【００２８】
１  鼻用貼付材鼻根部
２  鼻用貼付材右頬部
３  鼻用貼付材左頬部
４  鼻根部粘着剤付着部
５  鼻根部粘着剤剥離紙
６  頬上部粘着剤付着部
７  頬上部粘着剤右剥離紙
８  頬上部粘着剤左剥離紙
９  下方部粘着剤付着部
１０  下方部粘着剤剥離紙
１１  頬用貼付材前方部
１２  頬用貼付材後方部
１３  前方部粘着剤付着部
１４  前方部粘着剤剥離紙
１５  後方部粘着剤付着部
１６  後方部粘着剤剥離紙
１７  マスク
１８  眼鏡
【手続補正４】
【補正対象書類名】図面
【補正対象項目名】図１
【補正方法】変更
【補正の内容】
【図１】
2020128613.tif 000010
【手続補正５】
【補正対象書類名】図面
【補正対象項目名】図２
【補正方法】変更
【補正の内容】
【図２】
2020128613.tif 000011
【手続補正書】
【提出日】令和1年11月12日(2019.11.12)
【手続補正１】
【補正対象書類名】特許請求の範囲
【補正対象項目名】全文
【補正方法】変更
【補正の内容】
【特許請求の範囲】
【請求項１】
粘着剤を付着させた湾曲変形可能なシート状素材で作成され、
顔に装着したマスクの端縁側と、露出した皮膚に亘るように上から貼付することで、
前記マスク上方部分の鼻近傍に形成される隙間を減少させて、前記マスクのフィルター効果を高め、呼気中水蒸気を遮蔽することで眼鏡を曇りにくくさせるものとして、
前記シート状素材の背面に粘着剤付着部を備え、
前記粘着剤付着部は鼻根部や左右頬上部の前記皮膚に重なる部分と、その下方で前記マスクの上端側に重なる部分に区画されて、前記区画ごとに剥離紙で覆われてなるマスク用貼付材の使用法であって、
前記鼻根部または左右頬上部の前記皮膚に重なる部分のみに貼付し、
前記マスクの上端側に重なる部分の剥離紙は剥がさずに装着することを特徴とする鼻用のマスク用貼付材の使用法。

【請求項２】
粘着剤を付着させた湾曲変形可能なシート状素材で作成され、
顔に装着したマスクの端縁側と、露出した皮膚に亘るように上から貼付することで、
前記マスク側方部分の頬とで形成される隙間を減少させて、前記マスクのフィルター効果を高めるものとして、
前記シート状素材の背面に粘着剤付着部を備え、
前記粘着剤付着部は左右頬部の前記皮膚に重なる部分と、その側方で前記マスクの側端側に重なる部分に区画されて、前記区画ごとに剥離紙で覆われてなるマスク用貼付材の使用法であって、
前記左右頬部の前記皮膚に重なる部分のみに貼付し、
前記マスクの側端側に重なる部分の剥離紙は剥がさずに装着することを特徴とする頬用のマスク用貼付材の使用法。

【手続補正２】
【補正対象書類名】明細書
【補正対象項目名】全文
【補正方法】変更
【補正の内容】
【発明の詳細な説明】
【技術分野】
【０００１】
顔に貼付することで、マスクの機能を高め、なおかつ意匠性も高める技術分野に属する。
【背景技術】
【０００２】
気道から粉塵や細菌が侵入することを防ぐ目的でマスクを装着するが、個々人の顔面骨格や体型のため、マスク上方部分の鼻近傍やマスク側方部分の頬部には隙間ができやすく、マスク機能そのものが低下してしまう。
【０００３】
また、眼鏡をかけた際には、マスク上方部分と鼻近傍の隙間から呼気中の水蒸気が上昇し、眼鏡が曇りやすくなってしまう。
【０００４】
さらに、広く普及している市販マスクは、低コストでシンプルなデザインであり、家庭用や医療用など多くの用途に使用できるべく汎用性が高い反面、意匠性に乏しい。
【０００５】
マスク構造上の欠点を補助する目的で、下記特許文献１には眼鏡に装着してマスク上部の隙間を減少させる先行技術がある。しかし、この技術は眼鏡を使用する必要がある。
【０００６】
また、下記特許文献２および３にはマスクに装着して上記目的を改善させる先行技術がある。しかし、本技術ではマスクを着ける度にマスクへ装着して調整する必要があり、煩わしく手間がかかる。
【０００７】
そして、マスクに意匠性を付加する目的の先行技術として、下記特許文献４が考案されているが、あくまでマスクのみに貼付して意匠性を高める作用であり、マスク本来の機能改善効果はない。
【先行技術文献】
【特許文献】
【０００８】
【特許文献１】特開２０１１−１１５２３３号公報
【特許文献２】特開２００９−６６３８２号公報
【特許文献３】特開２０１２−２２８４９０号公報
【特許文献４】特開２０１０−１８４０９５号公報
【発明の概要】
【発明が解決しようとする課題】
【０００９】
簡便に、マスク構造上の欠点や意匠性に関する問題点を改善することを課題とする。
【課題を解決するための手段】
【００１０】
鼻根部、両側頬上部、マスク上方部分に鼻用貼付材を貼付することで、簡便にマスク上方部分と鼻近傍の隙間を減少させ、マスクのフィルター機能を高める。同時に、隙間を通して上昇してくる呼気中水蒸気を遮蔽して、眼鏡の曇り止めを果たす。
【００１１】
マスク側方部分や、マスクに近接する頬に頬用貼付材を貼付することで、簡便にマスク側方部分と頬の隙間を減少させ、マスクのフィルター機能を高める。
【００１２】
顔に貼付する鼻用貼付材や頬用貼付材は、形状や大きさ、素材、色、柄などのデザインを工夫してバリエーションを増やし、マスク装着時の意匠性を高めることで使用時の選択性を拡げる。例えば家庭環境や職場環境、医療目的など、様々な使用状況に合わせたデザインを選択できるようにする。
【発明の効果】
【００１３】
人間の顔面において、鼻は前方に突出しており、鼻根・鼻尖・鼻梁・鼻翼といった部位の高さや大きさ、形状には個人差がある。普及タイプの画一的な仕様のマスクでは個人差に対応できず、マスクを装着した時に鼻と頬との境界部分に隙間ができやすく、マスクのフィルター効果が低下する原因となっている。
【００１４】
この鼻と頬によるマスク上方部分の隙間を通じて、呼気中水蒸気が上方に漏れ出ることで、眼鏡を装着した際に眼鏡が曇ってしまう原因にもなっている。
【００１５】
同様に、マスク側方部分と頬の隙間についても、個人間の顔面骨格や体型による形状の差が大きく、マスクの装着方法によっては隙間が生じやすく、マスクのフィルター効果を減弱している。
【００１６】
そして、一般的なマスクは、白色や淡いブルー色や淡いピンク色の無地の不織布で作成されていることが多い。現在、マスクは病気の際の家庭内での使用や医療機関内での使用のみでなく、通勤通学や作業現場、オフィス、学校内での使用など様々な状況で使われる機会が増えているが、装飾性や意匠性が乏しくマスク装着に際してデザインの選択性が乏しい。
【００１７】
上記課題に対して本願発明は、鼻用貼付材や頬用貼付材を顔やマスクに貼り付けるだけで、簡便にマスクのフィルター機能を補助できて、眼鏡の曇り止め効果を持ち、なおかつマスク装着時の意匠性を高めるという課題を解決できる。
【図面の簡単な説明】
【００１８】
【図１】鼻用貼付材（上段が正面図、下段が背面図）
【図２】頬用貼付材（右側が正面図、左側が背面図）
【図３】一般的なマスクを装着した斜視図
【図４】マスク装着後に鼻用貼付材を貼付した斜視図
【図５】マスク装着後に鼻用貼付材と頬用貼付材を貼付した斜視図
【図６】鼻用貼付材と頬用貼付材を貼付した後に眼鏡をかけた斜視図
【図７】デザインバリエーションの例示を示す正面図
【発明を実施するための形態】
【００１９】
図３におけるマスク１７を装着した後に、鼻根部分と両側頬上部に相当する皮膚に、図１における鼻根部粘着剤付着部４と頬上部粘着剤付着部６を用いて鼻用貼付材を貼付する。鼻用貼付材の下方部分でマスク１７と重なる部位において、鼻用貼付材がマスク１７上方部分を押さえつけることとなり、鼻近傍の隙間を減少させる。また、より強力な隙間改善効果を期待して、鼻用貼付材の下方部粘着剤付着部９で顔と一体的にマスク上方部分に貼付することで、呼気圧力による鼻近傍の隙間拡大作用に抵抗させて、マスクのフィルター効果を高める。
【００２０】
鼻用貼付材を貼付することで、鼻近傍の隙間から上昇する呼気中の水蒸気を遮蔽する効果を持ち、図６における眼鏡１８を装着した際の眼鏡の曇り防止を果たす。
【００２１】
マスク側方部分に近接した頬に、図２における頬用貼付材の後方部粘着剤付着部１５で頬用貼付材を貼付する。頬用貼付材の前方部１１でマスク側方部分を押さえつけることとなり、マスク側方部分と頬との隙間を減少させる。また、より強力な隙間改善効果を期待して、頬用貼付材の前方部粘着剤付着部１３で顔と一体的にマスク側方部分に貼付することで、呼気圧力による頬部の隙間拡大作用に抵抗させて、マスクのフィルター効果を高める。
【００２２】
鼻用貼付材および頬用貼付材は、図７のごとくそれらの形状や大きさ、素材、色、柄などのデザインを変更でき、意匠性を高めてバリエーションを豊かにすることで、使用時の選択性を拡げる。
【実施例】
【００２３】
実施例１：図１において、鼻用貼付材背面のそれぞれの粘着剤付着部４、６、９は、不要時にはくっつかないように表面を剥離紙５、７、８、１０でシールしてある。図３におけるマスク１７装着の後、図１に示す鼻用貼付材の鼻根部粘着剤剥離紙５をはがし、鼻根部粘着剤付着部４で鼻根部皮膚に鼻用貼付材を貼り付ける。その後、鼻用貼付材の頬上部粘着剤右・左剥離紙７、８をはがし、頬上部粘着剤付着部６でマスク上方部分に近接した頬上部皮膚に鼻用貼付材を貼り付ける。こうすることで、鼻根部の形状に合わせ鼻用貼付材は鼻根部１の中心部分で上に凸の湾曲形状となる。
この時点で、図４に示すように鼻用貼付材のマスクに重なる部位においては、図１の下方部粘着剤剥離紙１０をはがさずとも、マスク上方部分が上からの圧力で押さえられる状態となり、鼻近傍の隙間が減少しマスクのフィルター効果を高める。
貼付部位が少ない方が使用時の不快感は限定される。しかし、使用状況に応じより強力な隙間改善効果を期待する場合、図１における鼻用貼付材の下方部粘着剤剥離紙１０をはがし、下方部粘着剤付着部９で顔とマスク上方部分を一体的に貼付すれば、呼気圧力で鼻近傍のマスクとの隙間がより拡がることを防ぎ、マスクのフィルター効果を一層高める。
【００２４】
この状態で図６のごとく眼鏡１８を装着することもでき、呼気中の水蒸気が上昇して鼻近傍の隙間から侵入することが遮蔽され、眼鏡の曇りを防止できる。
【００２５】
実施例２：鼻用貼付材に加えて、頬用貼付材を装着する。図２において、頬用貼付材背面のそれぞれの粘着剤付着部１３、１５は、不要時にはくっつかないように表面を剥離紙１４、１６でシールしてある。頬用貼付材の後方部粘着剤剥離紙１６をはがし、マスク側方部分に近接した頬部分に、後方部粘着剤付着部１５で頬用貼付材を貼付する。
この時点で、頬用貼付材前方部１１でマスクに重なる部位においては、前方部粘着剤剥離紙１４をはがさずともマスク側方部分が押さえつけられ、頬部の隙間が減少しマスクのフィルター効果を高める（図５）。
貼付部位が少ない方が使用時の不快感は限定される。しかし、使用状況に応じより強力な隙間改善効果を期待する場合、頬用貼付材の前方部粘着剤剥離紙１４をはがし、前方部粘着剤付着部１３で顔とマスク側方部分を一体的に貼付すれば、呼気圧力で頬部とマスクとの隙間がより拡がることを防ぎ、マスクのフィルター効果を一層高める。
【００２６】
実施例３（図７）：鼻用貼付材および頬用貼付材は、形状やサイズ、素材、色、柄などのデザインにバリエーションを持たせることができ、使用する方のニーズや使用場所に合わせて選択することができる。また、小さなサイズの鼻用貼付材の使用では、鼻根部粘着剤付着部４のみを使用して鼻根部のみに貼り付けることで、最小限の皮膚への粘着剤使用でもマスク上部の鼻近傍の隙間減少効果が期待できるため、使用者の装着時不快感が減少する。
【産業上の利用可能性】
【００２７】
本願発明は、すでに低コストで広く普及しているマスクに対して、マスク自体の構造や仕様を変更することなく、簡便にマスクの欠点を補うことができる。特殊な材料を使用せずとも作成できる可能性が高いため低コストであり、様々なデザインとすることでマスク利用を高め、マスクの新たな使用状況の発掘にもつながるものといえ、産業上の利用可能性が高いことが期待される。
【符号の説明】
【００２８】
１  鼻用貼付材鼻根部
２  鼻用貼付材右頬部
３  鼻用貼付材左頬部
４  鼻根部粘着剤付着部
５  鼻根部粘着剤剥離紙
６  頬上部粘着剤付着部
７  頬上部粘着剤右剥離紙
８  頬上部粘着剤左剥離紙
９  下方部粘着剤付着部
１０  下方部粘着剤剥離紙
１１  頬用貼付材前方部
１２  頬用貼付材後方部
１３  前方部粘着剤付着部
１４  前方部粘着剤剥離紙
１５  後方部粘着剤付着部
１６  後方部粘着剤剥離紙
１７  マスク
１８  眼鏡
【手続補正３】
【補正対象書類名】図面
【補正対象項目名】図１
【補正方法】変更
【補正の内容】
【図１】
2020128613.tif 000012
【手続補正４】
【補正対象書類名】図面
【補正対象項目名】図２
【補正方法】変更
【補正の内容】
【図２】
2020128613.tif 000013